(57)【要約】【課題】ＰＯＮシステムにおいて、ＯＮＵの常時発光による通信障害が発生した場合に、端末装置からの緊急通報の発信を確保する。【解決手段】ＰＯＮシステム１０は、ＯＬＴ１００と光分岐器３００を介して接続される複数のＯＮＵ５００〜５０２を備え、時分割多重方式でＯＬＴ１００にデータが送信される。ＯＮＵ５００は、電話機端末９００からの緊急通報要求を検出する緊急通報検出部５４０と、緊急通報要求が検出された場合において、ＯＮＵ５００のＯＬＴ１００に対する接続が確立されていない場合、光分岐器３００にＯＮＵ５０１、５０２とＯＬＴ１００との接続遮断要求を出力する緊急発信制御部５５０とを有する。光分岐器３００は、接続遮断要求に従って、ＯＮＵ５０１、５０２とＯＬＴ１００との接続を遮断する光回線制御部３３０を有する。【選択図】図１
2018207440.tif 000002
【特許請求の範囲】
【請求項１】
ＯＬＴ（Optical Line Terminal）と、前記ＯＬＴと光分岐器を介して接続される２以上の複数のＯＮＵ（Optical Network Unit）を備え、複数の前記ＯＮＵから時分割多重方式で前記ＯＬＴにデータが送信されるＰＯＮ（Passive Optical Network）システムであって、
複数の前記ＯＮＵのうち少なくとも１つの第１ＯＮＵは、
前記第１ＯＮＵに接続される端末装置からの緊急通報要求を検出する緊急通報検出部と、
前記緊急通報検出部により前記緊急通報要求が検出された場合において、前記第１ＯＮＵの前記ＯＬＴに対する接続が確立されていない場合、前記光分岐器に前記第１ＯＮＵ以外のＯＮＵと前記ＯＬＴとの接続遮断要求を出力する緊急発信制御部と、
を有し、
前記光分岐器は、
前記緊急発信制御部からの前記接続遮断要求に従って、前記第１ＯＮＵ以外のＯＮＵと前記ＯＬＴとの接続を遮断する光回線制御部を有する、
ＰＯＮシステム。
【請求項２】
前記緊急発信制御部は、前記第１ＯＮＵの前記ＯＬＴに対する接続が確立されていない場合において、前記ＯＬＴから前記第１ＯＮＵへの下り信号を受信しているとき、前記接続遮断要求を出力する、
請求項１に記載のＰＯＮシステム。
【請求項３】
前記光分岐器は、
前記ＯＬＴからの下り信号を、複数の前記ＯＮＵにそれぞれ対応する複数の光伝送路へと分岐させ、複数の前記ＯＮＵから前記ＯＬＴへの上り信号を時分割多重する光スプリッタと、
複数の前記光伝送路にそれぞれ設けられた複数のスイッチと、
を備え、
前記光回線制御部は、前記接続遮断要求に従って、複数の前記スイッチを制御して、前記第１ＯＮＵ以外のＯＮＵと前記ＯＬＴとの接続を遮断し、前記第１ＯＮＵと前記ＯＬＴとを接続する、
請求項１又は２に記載のＰＯＮシステム。
【請求項４】
前記光分岐器は、前記第１ＯＮＵからの上り信号を前記光回線制御部と、複数の前記スイッチのうち前記第１ＯＮＵに対応する第１スイッチとに分配する分岐部をさらに備え、
前記光回線制御部は、前記分岐部を介して前記接続遮断要求を受信する、
請求項３に記載のＰＯＮシステム。
【請求項５】
複数の前記ＯＮＵは、それぞれ前記緊急通報検出部と前記緊急発信制御部とを有する、
請求項１〜４のいずれか１項に記載のＰＯＮシステム。
【請求項６】
ＯＬＴ（Optical Line Terminal）と、前記ＯＬＴと光分岐器を介して接続される２以上の複数のＯＮＵ（Optical Network Unit）を備え、複数の前記ＯＮＵから時分割多重方式で前記ＯＬＴにデータが送信されるＰＯＮ（Passive Optical Network）システムの通信制御方法であって、
複数の前記ＯＮＵのうち少なくとも１つの第１ＯＮＵが、接続される端末装置からの緊急通報要求を検出し、
前記緊急通報要求が検出された場合において、前記第１ＯＮＵの前記ＯＬＴに対する接続が確立されていない場合、前記光分岐器に前記第１ＯＮＵ以外のＯＮＵと前記ＯＬＴとの接続遮断要求を出力し、
前記光分岐器が前記接続遮断要求に従って、前記第１ＯＮＵ以外のＯＮＵと前記ＯＬＴとの接続を遮断する、
通信制御方法。
【請求項７】
前記第１ＯＮＵの前記ＯＬＴに対する接続が確立されていない場合において、前記第１ＯＮＵが前記ＯＬＴから前記第１ＯＮＵへの下り信号を受信しているとき、前記接続遮断要求を出力する、
請求項６に記載の通信制御方法。
【請求項８】
前記第１ＯＮＵが前記ＯＬＴに対して接続されているか否かをあらかじめ判定し、
前記第１ＯＮＵの前記ＯＬＴに対する接続が確立されていない場合に、前記緊急通報要求が検出されると、前記接続遮断要求を出力する、
請求項６又は７に記載の通信制御方法。
【発明の詳細な説明】
【技術分野】
【０００１】
本発明は、ＰＯＮシステム及び通信制御方法に関する。
【背景技術】
【０００２】
ＦＴＴＨ（Fiber To The Home）サービスを実現する光アクセスシステムの一例として、ＰＯＮ（Passive Optical Network）システムがある。ＰＯＮシステムは、通信局舎に設けられる局側装置であるＯＬＴ（Optical Line Terminal）と、加入者の宅内に設けられる宅側装置である複数のＯＮＵ（Optical Network Unit）とを含む。
【０００３】
ＰＯＮシステムでは、一つのＯＬＴに複数のＯＮＵが接続される。ＯＬＴから敷設された１本の光ファイバケーブルは、光信号を分岐・多重する光スプリッタを介して、複数のＯＮＵで共有される。
【０００４】
ＰＯＮシステムでは、ＯＬＴと光スプリッタ間の１本の光ファイバケーブルを複数のＯＮＵで共有するため、ＯＮＵからＯＬＴに向かう上り方向において、各ＯＮＵが出力する光信号の衝突を回避する必要ある。このため、ＯＬＴが、時分割多重方式により各ＯＮＵの光信号の出力タイミングを制御している。
【０００５】
ＰＯＮシステムにおいて、任意のＯＮＵが故障等によって常時発光状態となると、この常時発光状態のＯＮＵからの光信号が他のＯＮＵからの光信号に重なり、他のＯＮＵの通信が困難になるという障害が発生する。そこで、ＯＮＵの常時発光による通信障害からの復旧を図る光通信システムが提案されている（特許文献１、２）。
【０００６】
特許文献１に記載の光通信システムでは、光分岐器によって分岐される、複数のＯＮＵに対応する複数の光伝送路に、それぞれ光スイッチが設けられている。光通信システムに通信障害が発生すると、光スイッチを順次切り替えながら、ＯＮＵと光分岐器とを遮断させ、通信障害が解消されたか否かを判定する。通信障害が解消されたと判定した時点で、遮断させている光スイッチの遮断状態が維持される。
【０００７】
特許文献２に記載のＰＯＮシステムでは、光カプラ部に光検出部が設けられている。光検出部は、各ＯＮＵからの光信号を検出し、常時発光異常が発生しているか否かを監視する。
【先行技術文献】
【特許文献】
【０００８】
【特許文献１】特開２０１４−１７１０７９号公報
【特許文献２】特開２０１０−２１９８７８号公報
【特許文献３】特開平１−１３８４７号公報
【発明の概要】
【発明が解決しようとする課題】
【０００９】
緊急事態が発生した際に個人が緊急であることを通報する場合は、電話機端末などの端末装置にて警察署や消防署などの機関に通報するのが主である。特許文献３には、緊急事態が発生した際に、加入者線が通話中の場合には、加入者線を強制切断して緊急通報装置側からの緊急通報の発信を可能とする、緊急通報装置が開示されている。
【００１０】
上述のように、ＰＯＮシステムにおいて、任意のＯＮＵが常時発光状態となった場合、常時発光状態のＯＮＵによって光ファイバケーブルが塞がり、他のＯＮＵが緊急通報を発信することができなかった。特許文献１、２では、ＯＮＵの常時発光による通信障害からの復旧については記載されているものの、常時発光異常の発生時における端末装置からの緊急通報については記載されていない。ＰＯＮシステムにおいて、ＯＮＵの常時発光による通信障害が発生した場合に、端末装置からの緊急通報の発信を確保することが所望されている。
【課題を解決するための手段】
【００１１】
本発明の一態様にかかるＰＯＮシステムは、ＯＬＴ（Optical Line Terminal）と、前記ＯＬＴと光分岐器を介して接続される２以上の複数のＯＮＵ（Optical Network Unit）を備え、複数の前記ＯＮＵから時分割多重方式で前記ＯＬＴにデータが送信されるＰＯＮ（Passive Optical Network）システムであって、複数の前記ＯＮＵのうち少なくとも１つの第１ＯＮＵは、前記第１ＯＮＵに接続される端末装置からの緊急通報要求を検出する緊急通報検出部と、前記緊急通報検出部により前記緊急通報要求が検出された場合において、前記第１ＯＮＵの前記ＯＬＴに対する接続が確立されていない場合、前記光分岐器に前記第１ＯＮＵ以外のＯＮＵと前記ＯＬＴとの接続遮断要求を出力する緊急発信制御部とを有し、前記光分岐器は、前記緊急発信制御部からの前記接続遮断要求に従って、前記第１ＯＮＵ以外のＯＮＵと前記ＯＬＴとの接続を遮断する光回線制御部を有する。
【００１２】
本発明の一態様にかかる通信制御方法は、ＯＬＴ（Optical Line Terminal）と、前記ＯＬＴと光分岐器を介して接続される２以上の複数のＯＮＵ（Optical Network Unit）を備え、複数の前記ＯＮＵから時分割多重方式で前記ＯＬＴにデータが送信されるＰＯＮ（Passive Optical Network）システムの通信制御方法であって、複数の前記ＯＮＵのうち少なくとも１つの第１ＯＮＵが、接続される端末装置からの緊急通報要求を検出し、前記緊急通報要求が検出された場合において、前記第１ＯＮＵの前記ＯＬＴに対する接続が確立されていない場合、前記光分岐器に前記第１ＯＮＵ以外のＯＮＵと前記ＯＬＴとの接続遮断要求を出力し、前記光分岐器が前記接続遮断要求に従って、前記第１ＯＮＵ以外のＯＮＵと前記ＯＬＴとの接続を遮断する。
【発明の効果】
【００１３】
実施の形態によれば、ＰＯＮシステムにおいて、ＯＮＵの常時発光による通信障害が発生した場合でも、端末装置からの緊急通報の発信を確保することが可能となる。
【図面の簡単な説明】
【００１４】
【図１】実施の形態１にかかるＰＯＮシステムの構成を示す図である。
【図２】実施の形態１にかかるＰＯＮシステムの通信制御方法を説明するフローチャートである。
【図３】実施の形態１にかかるＰＯＮシステムの通信制御方法を説明するフローチャートである。
【図４】実施の形態１にかかるＰＯＮシステムの通信制御方法を説明するフローチャートである。
【図５】実施の形態２にかかるＰＯＮシステムの通信制御方法を説明するフローチャートである。
【図６】比較例にかかるＰＯＮシステムの構成を示す図である。
【発明を実施するための形態】
【００１５】
以下、図面を参照して本発明の実施の形態について説明する。
本発明は、ＰＯＮ（Passive Optical Network）システム及びその通信制御方法に関する。ＰＯＮシステムは、通信局舎と加入者宅を光ファイバケーブルで接続する光アクセスシステムの１つである。ＰＯＮシステムでは、光ファイバケーブルによる光伝送路の途中に、光信号を分岐・多重する光スプリッタが設置される。光伝送路を光スプリッタで分岐することで、通信局舎側の終端装置であるＯＬＴ（Optical Line Terminal）１台に対して、加入者側の終端装置であるＯＮＵ（Optical Network Unit）を複数収容することが可能である。
【００１６】
実施の形態について説明する前に、図６を参照して比較例にかかるＰＯＮシステムの問題点について説明する。図６では、１台のＯＬＴ１００に３台のＯＮＵ５００〜５０２が接続された例を示している。図６に示すように、ＰＯＮシステム１は、ＯＬＴ１００、光ファイバケーブル２００、光スプリッタ３０１、光ファイバケーブル４００〜４０２、ＯＮＵ５００〜５０２、ＬＡＮ（Local Area Network）ケーブル６００〜６０２、ＶｏＩＰ−ＧＷ（Voice over Internet Protocol - gateway）７００〜７０２、電話線８００〜８０２、電話機端末９００〜９０２を備える。
【００１７】
通信局舎に設置されるＯＬＴ１００は、光ファイバケーブル２００を介して、電柱上などに設置される光スプリッタ３０１と接続される。光スプリッタ３０１は光回線を分岐させ、光ファイバケーブル４００〜４０２を介して、加入者の宅内に設けられる宅側装置である複数のＯＮＵ５００〜５０２にそれぞれ接続される。
【００１８】
ＯＮＵ５００〜５０２には、ＬＡＮケーブル６００〜６０２を介してＶｏＩＰ（Voice over Internet protocol）機能を有するＶｏＩＰ−ＧＷ７００〜７０２がそれぞれ接続されている。各ＶｏＩＰ−ＧＷ７００〜７０２は、さらに電話線８００〜８０２を介して電話機端末９００〜９０２にそれぞれ接続される。このようにＰＯＮシステムはＰ２ＭＰ（Point to Multi Point）システムであり、近隣の加入者の光回線を束ねて光伝送路やＯＬＴを共有することによって、経済的優位性を確保している。
【００１９】
各ＯＮＵ５００〜５０２から出力される光信号が、共有されている光ファイバケーブル２００において衝突しないように、各ＯＮＵ５００〜５０２は、ＯＬＴ１００の指示に従って決められたタイミング、期間だけ光信号を出力する。これにより、同一ＰＯＮシステム内のすべての回線は、安定した通信環境が保障されている。なお、図６の例では、光回線が３回線の場合の一般的なサービスの形態を示しているが、回線数及び機器の構成はこれに限定されない。
【００２０】
このようなＰＯＮシステムにおいて、ＯＮＵ５００〜５０２のいずれかが故障すると、ＯＬＴ１００の制御が及ばず、故障したＯＮＵ５００〜５０２のいずれかが自由に光信号を出力してしまうことがある。このように、特定のＯＮＵが常時発光状態となり、光信号の出力を制御できなくなると、光ファイバケーブル共有区間において他のＯＮＵが出力する光信号と衝突して通信障害が発生し、これらの回線のＰＯＮリンクが維持できなくなる。
【００２１】
このような問題によりＰＯＮリンクが維持できなくなると、電話サービスが利用できなくなる。電話サービスが従来のアナログ回線から光回線に移行されている中で、特に、緊急事態が発生した際に、電話機端末９００〜９０２から警察署や消防署などの機関に緊急通報することができないのは致命的な問題となる。
【００２２】
実施の形態では、ＰＯＮシステムを介した電話サービスにおいて、特定のＯＮＵが故障により常時発光状態となり、光ファイバケーブル共有区間における他のＯＮＵの通信が遮断された場合においても、通信が遮断された他のＯＮＵによる緊急通報を可能にするものである。
【００２３】
ＰＯＮシステムとしては、例えば、ＩＥＥＥ（The Institute of Electrical and Electronics Engineers, Inc.）８０２．３ａｈに規定されたＧＥ−ＰＯＮ（Gigabit Ethernet（登録商標）-Passive Optical Network）や、１０Ｇ−ＥＰＯＮ（10Gigabit-Ethernet Passive Optical Network）等が採用可能である。これらのＰＯＮシステムの基本的な説明は省略し、本実施形態において特徴的な構成について説明する。
【００２４】
実施の形態１
図１は、実施の形態１にかかるＰＯＮシステム１０の構成を示す図である。図１に示すように、ＰＯＮシステム１０は、ＯＬＴ１００、光ファイバケーブル２００、光分岐器３００、光ファイバケーブル４００〜４０２、ＯＮＵ５００〜５０２、ＬＡＮケーブル６００〜６０２、ＶｏＩＰ−ＧＷ７００〜７０２、電話線８００〜８０２、電話機端末９００〜９０２を備える。なお、図１に示す例では、光回線が３回線の場合の一般的な電話及びデータ転送サービスの形態が示されるが、回線数、関連機器の構成及びサービス形態はこれに限定されない。図１において、図６と同様の構成要素には同一の符号を付している。
【００２５】
ＯＬＴ１００は、ＰＯＮシステム１０における通信事業者側の終端装置である。ＯＮＵ５００〜５０２は、ＰＯＮシステム１０において、加入者側の宅内に設置される終端装置である。光回線は、光ファイバケーブル２００、光ファイバケーブル４００により構成される。加入者は契約により通信事業者が提供する光回線を利用することができる。
【００２６】
光分岐器３００は、上位側に１つの光ＩＦ（interface）を、下位側に複数の光ＩＦを有している。光分岐器３００は、光回線を複数に分岐する機能を持つ。光分岐器３００の上位側の光ＩＦには、光ファイバケーブル２００を介して、通信事業者側の終端装置であり、ＰＯＮシステム１０の全体を制御するＯＬＴ１００が接続されている。また、光分岐器３００の下位側の複数の光ＩＦには、それぞれ光ファイバケーブル４００〜４０２を介して、ＯＮＵ５００〜５０２が接続されている。
【００２７】
ＯＮＵ５００〜５０２は、光回線を終端し、光信号と電気信号を相互に変換する。ＯＮＵ５００〜５０２は、上位側に光ＩＦを、下位側に電気ＩＦを有している。ＯＮＵ５００〜５０２の上位側の光ＩＦには、それぞれ光ファイバケーブル４００〜４０２を介して光分岐器３００が接続されている。
【００２８】
ＯＬＴ１００から送信された光信号は、光ファイバケーブル２００を通って、光分岐器３００によりＯＮＵ５００〜５０２へと分岐される。一方、ＯＮＵ５００〜５０２から送信された光信号は、光分岐器３００によって合流され、光ファイバケーブル２００を通ってＯＬＴ１００に送信される。
【００２９】
ＯＮＵ５００〜５０２には、それぞれＬＡＮケーブル６００〜６０２を介してＶｏＩＰ−ＧＷ７００〜７０２が接続されている。ＶｏＩＰ−ＧＷ７００〜７０２は、ＩＰ（Internet Protocol）パケットをルーティングする機能やＩＰパケットと音声データを相互に変換する機能を有している。ＶｏＩＰ−ＧＷ７００〜７０２は、上位側に電気ＩＦを、下位側に電話線ＩＦを有している。ＬＡＮケーブル６００〜６０２は、ＶｏＩＰ−ＧＷ７００〜７０２の上位側の電気ＩＦに接続される。ＶｏＩＰ−ＧＷ７００〜７０２の下位側の電話線ＩＦには、電話線８００〜８０２を介して電話機端末９００〜９０２が接続されている。
【００３０】
ＶｏＩＰ−ＧＷ７００〜７０２は、電話網とＩＰネットワークの境界に配置される。ＶｏＩＰ−ＧＷ７００〜７０２は、電話線８００〜８０２から入力されるアナログ音声データをデジタル音声データに変換し、ＩＰパケットに分割してＬＡＮケーブル６００〜６０２を介してＯＮＵ５００〜５０２にそれぞれ送信する。また、ＶｏＩＰ−ＧＷ７００〜７０２は、ＯＮＵ５００〜５０２側から受け取ったＩＰパケットをアナログ音声データに復元し、電話線８００〜８０２を介して電話機端末９００〜９０２へそれぞれ送出する。デジタル音声データの圧縮及び伸張は、ＶｏＩＰ−ＧＷ７００〜７０２により行われる。
【００３１】
ここで、光分岐器３００の構成及び機能について詳細に説明する。光分岐器３００は、光スプリッタ３０１、光回線スイッチ部３１０〜３１２、上り信号分岐部３２０〜３２２、光回線制御部３３０を有する多機能スプリッタである。光スプリッタ３０１の上位側ＩＦは光ファイバケーブル２００を介してＯＬＴ１００と接続され、下位側の複数のＩＦはそれぞれ光回線スイッチ部３１０〜３１２と接続されている。
【００３２】
光スプリッタ３０１は、光ファイバケーブル２００による光伝送路を３つの光伝送路へと分岐する。すなわち、光スプリッタ３０１は、３つの光回線を形成する。光回線スイッチ部３１０〜３１２は、光スプリッタ３０１により分岐された３つの光伝送路にそれぞれ接続されている。光スプリッタ３０１は、ＯＬＴ１００からの下り信号を分配して複数の光回線スイッチ部３１０〜３１２に転送する。
【００３３】
また、光スプリッタ３０１は、各ＯＮＵ５００〜５０２からの上り信号を合流させてＯＬＴ１００に転送する。各ＯＮＵ５００〜５０２からの上り信号が光スプリッタ３０１で合流した後に衝突しないように、ＯＬＴ１００は、ＯＮＵ５００〜５０２から送信された制御フレームに基づいて、ＯＮＵ５００〜５０２内のバッファに蓄積されているデータの送信開始時刻及び送信許可量を演算する。ＯＬＴ１００は、指示信号を挿入した制御フレームを、光ファイバケーブル２００及び光分岐器３００を介してＯＮＵ５００〜５０２に送信する。
【００３４】
光回線スイッチ部３１０〜３１２は、３つの光回線の接続／遮断をそれぞれ切り替える。光回線スイッチ部３１０〜３１２の上位側ＩＦは光スプリッタ３０１と接続されており、下位側ＩＦはそれぞれ上り信号分岐部３２０〜３２２と接続されている。
【００３５】
上り信号分岐部３２０〜３２２は、２つの上位側ＩＦと、１つの下位側ＩＦを有している。上り信号分岐部３２０〜３２２の一方の上位側ＩＦは光回線制御部３３０と接続されており、他方の上位側ＩＦはそれぞれ光回線スイッチ部３１０〜３１２と接続されている。上り信号分岐部３２０〜３２２の下位側ＩＦは、光ファイバケーブル４００〜４０２を介してそれぞれＯＮＵ５００〜５０２と接続されている。
【００３６】
上り信号分岐部３２０〜３２２は、光回線スイッチ部３１０〜３１２からの下り信号をＯＮＵ５００〜５０２にそれぞれ転送する。また、上り信号分岐部３２０〜３２２は、ＯＮＵ５００〜５０２からの上り信号を、光回線制御部３３０と光回線スイッチ部３１０〜３１２とに分岐して転送する。すなわち、上り信号分岐部３２０〜３２２は、ＯＮＵ５００〜５０２からの上り信号をそれぞれ光回線制御部３３０、光スプリッタ３０１へと分配する。
【００３７】
光回線制御部３３０は、上り信号分岐部３２０〜３２２からの上り信号から、光回線制御に関する要求を検出し、その要求に基づいて光回線スイッチ部３１０〜３１２を制御することで各光回線を接続又は遮断させる。
【００３８】
次に、ＯＮＵ５００〜５０２の構成及び機能について詳細に説明する。ＯＮＵ５００〜５０２は、それぞれ同一の構成を有している。ここでは、代表としてＯＮＵ５００について説明する。ＯＮＵ５００は、光送受信部５１０、光回線終端部５２０、パケット転送部５３０、緊急通報検出部５４０、緊急発信制御部５５０を有している。
【００３９】
光送受信部５１０は、光ファイバケーブル４００を介して光分岐器３００の上り信号分岐部３２０に接続されている。また、光送受信部５１０は、光回線終端部５２０、緊急発信制御部５５０にそれぞれ接続されている。光送受信部５１０は、ＯＬＴ１００から受信する光信号を電気信号に変換してデータを復調する。また、光送受信部５１０は、光回線終端部５２０から入力されるデータを光信号に変調する。
【００４０】
光回線終端部５２０は、光送受信部５１０、パケット転送部５３０、緊急発信制御部５５０にそれぞれ接続されている。光回線終端部５２０は、ＯＬＴ１００とのＰＯＮリンクを維持し、ＯＬＴ１００からの指示に従って上りパケットを光送受信部５１０に送信し、光送受信部５１０の発光タイミングの制御を行う。
【００４１】
パケット転送部５３０は、光回線終端部５２０、緊急通報検出部５４０に接続されている。また、パケット転送部５３０は、ＬＡＮケーブル６００を介してＶｏＩＰ−ＧＷ７００と接続されている。パケット転送部５３０は、下りパケットをＶｏＩＰ−ＧＷ７００へ転送する。また、パケット転送部５３０は、上りパケットを光回線終端部５２０へ転送する。
【００４２】
電話機端末９００から送信され、ＶｏＩＰ−ＧＷ７００にてＩＰ化された音声データの上りパケットは発信先情報を含む。パケット転送部５３０は、さらに、上りパケットのうち、音声データの発信先情報を含むパケットのみを複製し、緊急通報検出部５４０へ転送する。
【００４３】
緊急通報検出部５４０は、パケット転送部５３０と緊急発信制御部５５０とに接続されている。緊急通報検出部５４０は、パケット転送部５３０から音声データの発信先情報を含むパケットを受信する。緊急通報検出部５４０は、当該パケットを解析し、発信先情報を検出する。緊急通報検出部５４０は、例えば、発信先情報として、発信先のダイヤル番号を検出することができる。そして、緊急通報検出部５４０は、発信先情報が警察署や消防署などの機関に対する緊急通報（１１０番や１１９番等）であるか否かを判定する。発信先情報が緊急通報である場合、緊急通報検出部５４０は緊急発信制御部５５０へエンドユーザが緊急通報の発信を必要としていること示す緊急通報要求を通知する。
【００４４】
緊急発信制御部５５０は、光送受信部５１０、光回線終端部５２０と緊急通報検出部５４０とに接続されている。緊急発信制御部５５０は、光回線終端部５２０からＰＯＮリンクに関する情報を取得する。また、緊急発信制御部５５０は、緊急通報検出部５４０から緊急通報の発信を示す緊急通報要求を受信する。
【００４５】
緊急発信制御部５５０は、緊急通報検出部５４０から緊急通報の発信を示す緊急通報要求を受信した場合、光回線終端部５２０から光回線の情報を取得する。ここで、他のＯＮＵ５０１、５０２のいずれかが常時発光状態である場合、下り信号を受信しているにも関わらず、ＰＯＮリンクが確立されない。緊急発信制御部５５０は、このように下り信号を受信しているにも関わらずＰＯＮリンクが確立されていないことを検出した場合、光分岐器３００に対して他の光回線を遮断することを要求する。
【００４６】
すなわち、緊急発信制御部５５０は、ＯＮＵ５００に対する下り信号を受信している場合において、ＯＮＵ５００のＰＯＮリンクが遮断されているときに、ＯＮＵ５００以外のＯＮＵ５０１、５０２のＯＬＴ１００との接続遮断要求を出力する。この際、緊急発信制御部５５０は、ＯＬＴ１００からの制御に従い上り信号を送信させるＰＯＮシステムのプロトコルに従うことなく、光送受信部５１０に対して光送信を一時的に許可し、自発的に接続遮断要求を光回線制御部３３０に送信する。
【００４７】
光分岐器３００の光回線制御部３３０は、上り信号分岐部３２０を介して受信した上り信号から送信元の光回線以外の光回線を遮断する接続遮断要求を検出すると、送信元の光回線以外の光回線を遮断する。すなわち、光回線制御部３３０は、緊急通報を発信するＯＮＵ５００以外のＯＮＵ５０１、５０２をＯＬＴ１００へ接続する光回線スイッチ部３１１、３１２を開状態とする。これにより、ＯＮＵ５００とＯＬＴ１００との間に、Ｐ２Ｐ（Pint to Point）接続を一時的に確立させることができる。
【００４８】
このように、特定のＯＮＵの常時発光により同一ＰＯＮシステム内の他の光回線の通信が遮断されていても、緊急通報を発信する光回線を除いた他の光回線を物理的に遮断させることによって、当該光回線の通信環境を復旧させ、緊急通報が可能となる。
【００４９】
また、ＯＮＵ５００だけでなく、ＯＮＵ５０１、５０２もまた、それぞれ緊急通報検出部、緊急発信制御部を備えている。このため、ＯＮＵ５０１に接続される電話機端末９０１やＯＮＵ５０２に接続される電話機端末９０２から続けて２以上の緊急発信要求が発生した場合でも、同様に緊急通報を発信する光回線を除いた光回線を一時的に遮断させ、ＯＮＵ５０１とＯＬＴ１００との間、ＯＮＵ５０２とＯＬＴ１００との間に接続を確立させることができる。
【００５０】
次に、図２、３、４を参照して、実施の形態１にかかるＰＯＮシステム１０の通信制御方法について説明する。ここでは、ＯＮＵ５００により緊急通報を発信する例が示される。まず、図２を参照して、ＯＮＵ５００の緊急通報検出部５４０の動作について説明する。図２は、緊急通報検出部５４０の動作を説明するフローチャートである。
【００５１】
図２に示すように、緊急通報検出部５４０は、ＶｏＩＰ−ＧＷ７００からパケット転送部５３０を介して受信した音声データの発信先情報を含むパケットを解析し、発信先情報を検出する（ステップＳ１０１）。発信先情報としては、例えば、発信先のダイヤル番号が検出される。
【００５２】
そして、緊急通報検出部５４０は、発信先情報が緊急通報か否かを判断する（ステップＳ１０２）。発信先情報が緊急通報でない場合（ステップＳ１０２ＮＯ）、緊急通報検出部５４０は処理を終了する。発信先情報が緊急通報である場合（ステップＳ１０２ＹＥＳ）、緊急通報検出部５４０は緊急発信制御部５５０へ緊急通報の発信が必要なことを示す緊急通報要求を通知する（ステップＳ１０３）。
【００５３】
次に、図３を参照して、ＯＮＵ５００の緊急発信制御部５５０の動作について説明する。図３は、緊急発信制御部５５０の動作を説明するフローチャートである。図３に示すように、緊急発信制御部５５０は、緊急通報検出部５４０から緊急通報要求を受信すると（ステップＳ２０１）、光回線終端部５２０を介して光回線の情報を収集し（ステップＳ２０２）、光回線の状況を調査する。緊急発信制御部５５０は、光回線情報に基づいて、ＰＯＮリンクが遮断されているか否かを判断する（ステップＳ２０３）。
【００５４】
ＰＯＮリンクが確立されている場合は、正常にＯＮＵ５００による通信が可能である。ＰＯＮリンクが遮断されていない場合（ステップＳ２０３ＮＯ）、緊急発信制御部５５０は処理を終了する。一方、ＰＯＮリンクが確立されていない場合、この時点ではＯＮＵ５００による通信が不能である。ＰＯＮリンクが遮断されている場合（ステップＳ２０３ＹＥＳ）、下り信号の有無が確認される（ステップＳ２０４）。
【００５５】
下り信号が受信されていない場合（ステップＳ２０４ＮＯ）、ＯＬＴ１００の異常又はＯＬＴ１００とＯＮＵ５００間の光伝送路に異常があると判断され、処理が終了する。下り信号が受信されている場合（ステップＳ２０４ＹＥＳ）、ＯＬＴ１００やＯＬＴ１００とＯＮＵ５００間の光伝送路自体は正常である。この場合、他のＯＮＵ５０１、５０２のいずれかが常時発光状態となり、規定の時間外に光信号を送信していることによって、光ファイバケーブル２００区間において上り信号の衝突が発生していることが考えられる。これにより、ＯＮＵ５００から送信された光信号がＯＬＴ１００に到達できない。したがって、この場合、緊急発信制御部５５０はＰＯＮリンクが遮断されていると判定する（ステップＳ２０５）。
【００５６】
このような場合において、緊急発信制御部５５０は、緊急通報が発信できるように、光分岐器３００の制御を行う。具体的には、まず、緊急発信制御部５５０が光送受信部５１０に対して自発的な光送信を一時的に許可し（ステップＳ２０６）、光送信が可能な状態とする。また、緊急発信制御部５５０は、ＯＮＵ５００を接続する光回線以外の光回線を遮断することを要求する接続遮断要求を生成し、ＯＬＴ１００からの制御に従い上り信号を送信させるＰＯＮシステムのプロトコルに従うことなく、自発的に光分岐器３００の光回線制御部３３０に対して送信する（ステップＳ２０７）。
【００５７】
最後に、図４を参照して、光分岐器３００の動作について説明する。図４は、光分岐器３００の動作を説明するフローチャートである。図４に示すように、光回線制御部３３０は、上り信号分岐部３２０を介して受信する信号のうち、光回線制御に関する情報を収集する（ステップＳ３０１）。そして、ＯＮＵ５００の緊急発信制御部５５０が送信した接続遮断要求を受信したか否かが判断される（ステップＳ３０２）。接続遮断要求を検出した場合（ステップＳ３０２ＹＥＳ）、光回線スイッチ部３１０だけを接続状態とし、他のＯＮＵ５０１〜５０２へ接続される光回線スイッチ部３１１〜３１２が遮断される（ステップＳ３０３）。以上の動作により、ＯＮＵ５００のＰＯＮリンクが確立され、通信可能な状態となり、電話機端末９００からの緊急通報の発信、通話が可能となる。
【００５８】
以上説明したように、実施の形態によれば、下位にあるＶｏＩＰ−ＧＷから受信する音声パケットを解析することで、エンドユーザからの緊急通報の発信をＯＮＵ自体が認識することができる。ＯＮＵが緊急通報の発信を認識した場合、他のＯＮＵの常時発光によって自回線の通信ができない場合でも、該ＯＮＵの回線を強制的に遮断することで、自回線を復旧することができ緊急通報の発信を確保することが可能となる。
【００５９】
このように、緊急通報が必要な回線にあるＯＮＵが、自回線の状況を判断して、自回線を一時的に復旧させる処理が実行されるため、他のＯＮＵの状況を取得したり、ＯＬＴや他のＯＮＵによる動作が省略可能である。
【００６０】
実施の形態２
図５を参照して、実施の形態２にかかる通信制御方法について説明する。図５は、緊急発信制御部５５０の動作を説明するフローチャートである。実施の形態２では、ＯＮＵ５００が定期的に光回線の状況を監視し、常時発光によりＰＯＮリンクが遮断されているか否かをあらかじめ判定する。緊急通報の発信を示す緊急通報要求を緊急発信制御部５５０が受信すると、即座に他の回線の遮断を光分岐器３００に要求する。
【００６１】
なお、実施の形態２の通信制御方法を実行するＰＯＮシステムの構成は、図１に示すＰＯＮシステム１０と同一であるため、説明を省略する。また、緊急通報検出部５４０、光分岐器３００の動作は、実施の形態１と同様である。
【００６２】
緊急通報検出部５４０は、実施の形態１と同様に、パケット転送部５３０を介して受信した音声データの発信先情報を含むパケットを解析し、発信先情報を検出する。そして、緊急通報検出部５４０は、発信先情報が緊急通報である場合には、緊急発信制御部５５０へ緊急通報の発信が必要なことを示す緊急通報要求を通知する。
【００６３】
図５に示すように、緊急発信制御部５５０は、緊急通報検出部５４０からの通知に関係なく、光回線終端部５２０を介して光回線の情報を収集し（ステップＳ４０１）、定期的に光回線終端部５２０を監視する。そして、緊急発信制御部５５０は、光回線情報に基づいて、ＰＯＮリンクが遮断されているか否かを判断する（ステップＳ４０２）。
【００６４】
ＰＯＮリンクが確立されている場合（ステップＳ２０３ＮＯ）、緊急発信制御部５５０はステップＳ４０１に戻り、光回線の状態監視を継続する。一方、ＰＯＮリンクが確立されていない場合（ステップＳ４０２ＹＥＳ）、下り信号の有無が確認される（ステップＳ４０３）。
【００６５】
下り信号が受信されていない場合（ステップＳ４０３ＮＯ）、緊急発信制御部５５０は、ＯＬＴ１００の異常又はＯＬＴ１００とＯＮＵ５００間の光伝送路に異常があると判断し、ステップＳ４０１に戻り、光回線の状態監視を継続する。下り信号が受信されている場合（ステップＳ４０３ＹＥＳ）、緊急発信制御部５５０は他のＯＮＵ５０１、５０２の常時発光によりＰＯＮリンク遮断されていると判定する（ステップＳ４０４）。
【００６６】
他のＯＮＵ５０１、５０２の常時発光による光回線異常と判定した後、緊急発信制御部５５０は、緊急通報検出部５４０からの緊急通報要求の有無を確認する（ステップＳ４０５）。緊急通報要求を受信していない場合（ステップＳ４０５ＮＯ）、緊急発信制御部５５０は光回線の状態監視を継続する。
【００６７】
一方、緊急通報要求を受信している場合（ステップＳ４０５ＹＥＳ）、緊急発信制御部５５０は、光送受信部５１０に対して、自発的な光送信を一時的に許可し、光送信が可能な状態とする（ステップＳ４０６）。また、緊急発信制御部５５０は、ＯＮＵ５００を接続する光回線以外の光回線を遮断することを要求する接続遮断要求を生成し、光分岐器３００の光回線制御部３３０に対して送信する（ステップＳ４０７）。
【００６８】
以上説明したように、実施の形態によれば、特定のＯＮＵが常時発光による故障を発生し、同一ＰＯＮシステム内の他の回線の通信が遮断されていても、緊急通報が必要な回線を除いたすべての回線を一時的に遮断させることによって、当該回線の通信環境を復旧させ、緊急通報が可能となる。
【００６９】
なお、本発明は上記実施の形態に限られたものではなく、趣旨を逸脱しない範囲で適宜変更することが可能である。
【符号の説明】
【００７０】
１０  ＰＯＮシステム
１００  ＯＬＴ
２００  光ファイバケーブル
３００  光分岐器
３０１  光スプリッタ
３１０〜３１２  光回線スイッチ部
３２０〜３２２  上り信号分岐部
３３０  光回線制御部
４００  光ファイバケーブル
４００〜４０２  光ファイバケーブル
５００〜５０２  ＯＮＵ
５１０  光送受信部
５２０  光回線終端部
５３０  パケット転送部
５４０  緊急通報検出部
５５０  緊急発信制御部
６００〜６０２  ＬＡＮケーブル
７００〜７０２  ＶｏＩＰ−ＧＷ
８００〜８０２  電話線
９００〜９０２  電話機端末
【図１】
2018207440.tif 000003
【図２】
2018207440.tif 000004
【図３】
2018207440.tif 000005
【図４】
2018207440.tif 000006
【図５】
2018207440.tif 000007
【図６】
2018207440.tif 000008